(57)【特許請求の範囲】
【請求項１】
幅の狭い小エプロンとその他の部分を閉塞する大エプロンとが長手方向に並設された浴槽と、
カウンタ天板とこのカウンタ天板の下方に設置されるカウンタ幕板とにより構成されて前記浴槽の前記小エプロンに隣接して設置されるカウンタと
を備えた浴室に用いられる小エプロン付カウンタ幕板であって、
前記小エプロンと前記カウンタ幕板とが一体に形成されており、
前記カウンタ幕板は、
前記カウンタ天板に設けられた被上取着部に水平方向に嵌め込むための上取着部と、
前記カウンタ天板の下方に配設された係止孔に水平方向に挿入して係止するための係止ピンと
を備えており、
前記小エプロン及び前記カウンタ幕板は、前記浴槽の長手方向に沿って水平方向にスライドして設置されるものである
ことを特徴とする小エプロン付カウンタ幕板。
【発明の詳細な説明】
【技術分野】
【０００１】
本発明は、浴室に備えられるカウンタを形成するカウンタ幕板に関するものである。
【背景技術】
【０００２】
従来より、浴室の洗い場と隣接する浴槽３の側面に、浴槽フランジ３１から垂下して設置されるエプロンが知られている。このエプロンは浴槽３の長手方向全長に亘って設置されるものであるため、カウンタ４が浴槽３と隣接して設置されている場合は、浴槽３の長手方向すべてを閉塞する一個のエプロンではその取付けが困難である。その場合は、図３にあるとおり、幅の狭い小エプロン１１と、その他の部分を閉塞する大エプロン２とでエプロン全体を構成して、その小エプロン１１をカウンタ４側に配設し、それらを並設して設置するものであった。（例えば特許文献１参照）
このものにあっては、図３（ａ）乃至（ｃ）に示すように、まず大エプロン２において裏面に備える把持部を把持し、大エプロン２の上端辺を中心として下端を引き出すようにして回動させて脱着する。大エプロン２脱着後、大エプロン２に並設されていた小エプロン１１を浴槽３の長手方向に沿ってカウンタ４側から中央部に向けて摺動させる。このように、中央部に向けて長手方向に移動させることで小エプロン１１の下端部を支持し固設していたエプロン支持具から、小エプロン１１を取り外すことができる。
【０００３】
一方、浴室に備えられたカウンタ４はカウンタ天板４１とカウンタ幕板１２とからなるものが知られており、このカウンタ幕板１２は図４に示すように、カウンタ幕板１２の上端をカウンタ天板４１の先端に係止させると共に、カウンタ幕板１２の下端を、カウンタ天板４１の下方であって浴室壁面に備えられた断面Ｌ字形状のカウンタキャリア５２にねじ等の固着具６によって螺合することによって固設されるものであった。
【特許文献１】特開２００１−１６９９５９号公報
【発明の開示】
【発明が解決しようとする課題】
【０００４】
ところで、この浴槽エプロン内部には配管等が収容されているため、配管などの点検作業が定期的に必要となる。また、エプロン内部はカビが発生しやすい空間であるため、清掃作業も頻繁に行う必要がある。この場合、従来のエプロンにおいては、上述したような方法によって大エプロン２を脱着してその後小エプロン１１を脱着するのであるが、清掃作業や点検作業において、隣接して設置したカウンタ４が邪魔になって作業が困難となるため、カウンタ４の下部を構成するカウンタ幕板１２を脱着して作業スペースを確保しており、２度手間となっているという問題を有していた。
【０００５】
さらに、従来のようなカウンタ幕板１２の構造では、固着具６を用いているため取り外しが非常に手間であり、場合によっては専用の締結具が必要となる場合もあるため、取り外しが困難であるという問題も有していた。
【０００６】
本発明は、上記従来の問題に鑑みてなされたものであり、その目的とするところは、容易に取り外しができて、且つ作業スペースの確保が実現できる小エプロン付カウンタ幕板を提供することにある。
【課題を解決するための手段】
【０００７】
上記課題を解決するために請求項１に係る発明にあっては、幅の狭い小エプロン１１とその他の部分を閉塞する大エプロン２とが長手方向に並設された浴槽３と、カウンタ天板４１とこのカウンタ天板４１の下方に設置されるカウンタ幕板１２とにより構成されて前記浴槽３の前記小エプロン１１に隣接して設置されるカウンタ４とを備えた浴室に用いられる小エプロン付カウンタ幕板１であって、前記小エプロン１１と前記カウンタ幕板１２とが一体に形成されており、前記カウンタ幕板１２は、前記カウンタ天板４１に設けられた被上取着部４２に水平方向に嵌め込むための上取着部１３と、前記カウンタ天板４１の下方に配設された係止孔５１に水平方向に挿入して係止するための係止ピン１４１とを備えており、前記小エプロン１１及び前記カウンタ幕板１２は、前記浴槽３の長手方向に沿って水平方向にスライドして設置されるものであることを特徴とするものである。
【０００８】
このように構成したことで、小エプロン１１と共にカウンタ幕板１２を脱着することができるので、作業時点検時における取り外しの手間を幾分か解消することができて、尚且つ作業スペースが確保できる。また、小エプロン１１とカウンタ幕板１２を一体に形成したことで、従来のものでは隙間が生じていた継ぎ目部分の見栄えが向上し、外観上良好となるものである。
【００１０】
また、カウンタ幕板１２を容易に着脱可能とすることができるので、作業時における作業性を向上させることができるものであり、作業時間の短縮に大いに貢献するものである。
【発明の効果】
【００１１】
本発明によれば、エプロンの着脱が非常に簡単にできるから、使用者の清掃や点検の意欲を喚起させ常にエプロン内を清潔に保てると共に、浴室配管の破損や漏水の問題を減少させることを可能とするものである。
【発明を実施するための最良の形態】
【００１２】
以下、本発明について添付図面に基づいて説明する。
【００１３】
図１に示すように、浴槽３の長手方向の側面にはカウンタ４が配設される。浴槽３には浴槽フランジ３１を備えており、該浴槽フランジ３１からエプロンが垂下して設置されている。該エプロンは浴槽３の長手方向に幅の狭い小エプロン１１と、その他の部分を閉塞する大エプロン２とで構成されている。小エプロン１１には後述するカウンタ幕板１２の浴槽３側の側端部において固設されて一体に形成されている。さらに、小エプロン１１の上端面には全長に亘ってガイド片１１１が突設されており、浴槽フランジ３１の裏面（すなわち浴槽フランジ３１の下方の面）に形成される凹部に該ガイド片１１１が摺動自在に嵌装されて、小エプロン１１を容易に設置できるようになっている。
【００１４】
カウンタ４は図２に示すように、カウンタ天板４１とカウンタ幕板１２とから構成される。カウンタ天板４１は浴室壁面から突設されるものであるが、壁面と一体となって形成されるか、又は別体となって形成されるかは特に限定されない。該カウンタ４の先端には、カウンタ幕板１２の上端に形成された上取着部１３と係合する被上取着部４２が形成されている。この被上取着部４２は断面Ｌ字状に形成されておりカウンタ天板４１の先端の左右方向（すなわち浴槽３の長手方向に直角な方向）全長に亘って形成されている。
【００１５】
一方、カウンタ幕板１２の上端の上取着部１３は前記被上取着部４２を挟持するように左右方向の全長に亘って突設して形成される。このカウンタ幕板１２は断面において、浴室の壁面に近づくにつれてカウンタ天板４１から徐々に離れるように形成されており、その下端はカウンタ天板４１から最も離れて且つ浴室壁面に最も近い場所に位置している。カウンタ天板４１の下方の浴室の壁面には、被下取着部５としての断面コ字形状のカウンタキャリア５２が断面における開放側を上方に臨んで数箇所設置されており、カウンタ幕板１２の下端近傍に形成される下取着部１４がその被下取着部５に接続されている。なお、該カウンタキャリア５２の設置場所は、カウンタ天板４１に設置されていてもよく、すなわちカウンタ天板４１の下方に設置されていればよいため、特に限定されない。
【００１６】
その接続手段について詳しく説明すると、前記カウンタキャリア５２には、洗い場側に臨む面の略中央に横向きに係止孔５１が設置されている。該係止孔５１は袋状の弾性材５１１を有しており、その袋状の開口部を洗い場側に臨むように設置されている。
【００１７】
また、カウンタ幕板１２の下端に設置された下取着部１４には、前記係止孔５１によって水平方向に係止される係止ピン１４１が突設されている。該係止ピン１４１の先端は太く形成されており、この太く形成された先端部分が弾力をもつ前記係止孔５１の最も内径が小さい部分を押し広げて挿通され、その太く形成された先端部分が係止孔５１の最も内径が小さい部分に係止される。このようにして係止ピン１４１と係止孔５１は、カウンタ幕板１２を水平方向に着脱自在に係止する。さらに、カウンタ幕板１２の下端部には断面Ｌ字状の着脱用の把持部１２１が形成されており、カウンタ幕板１２を更に容易に着脱できるのである。
【００１８】
なお、下取着部１４に係止孔５１を設置し、被下取着部５に係止ピン１４１を設置するものでも本発明の同様の効果が得られるものであり、また、把持部１２１は特に限定されない。
【００１９】
このようにして構成された小エプロン付カウンタ幕板１は、浴槽フランジ３１の裏面に形成された凹部にガイド片１１１を嵌め込み、浴槽３の長手方向の端部に向けて摺動させながら設置する。小エプロン１１とカウンタ幕板１２は一体に形成されているから、同時にカウンタ天板４１先端に備えた被上取着部４２が上取着部１３に嵌合して、さらに下取着部１４が被下取着部５に係止される。このようにして小エプロン１１及びカウンタ幕板１２が固着されるのであるが、このような小エプロン１１設置後に大エプロン２が上端を浴槽フランジ３１の裏面に係合させつつ下面を浴槽３側に押圧して回動させることによって大エプロン２も嵌装される。
【００２０】
このように構成された小エプロン付カウンタ幕板１は、カウンタ幕板１２の取着部１３，１４，４２，５によって十分に固定されるので、従来必要であったエプロン支持具が不要となるものであり、コストの削減も可能となるものである。さらに小エプロン１１とカウンタ幕板１２が一体に形成されているから、従来生じていた継ぎ目における隙間の見栄えが悪い点も解消できて、意匠上の要請も十分満たされるものである。また、従来のその継ぎ目における隙間には水垢やカビ等が付着し易く清掃が困難であったという問題も、本発明の構造においては清掃し易く清掃性を著しく向上させるため、それらの問題も同時に解消させる。
【００２１】
以上、本実施形態における小エプロン付カウンタ幕板１の構成について説明したが、上記の係止ピン１４１及び係止孔５１の構成については本実施形態に特に限定されない。また、カウンタ幕板１２の形状も特に限定されるものではない。
【図面の簡単な説明】
【００２２】
【図１】本実施形態の分解斜視図である。
【図２】同上の要部断面図である。
【図３】従来例のエプロンの取り外し手順を示す斜視図であり（ａ）は大エプロンの脱着方法、（ｂ）は小エプロン脱着直前を示し、（ｃ）は小エプロン脱着直後を示す。
【図４】従来例の要部断面図を示す。
【符号の説明】
【００２３】
１      小エプロン付カウンタ幕板
１１    小エプロン
１１１  ガイド片
１２    カウンタ幕板
１２１  把持部
１３    上取着部
１４    下取着部
１４１  係止ピン
２      大エプロン
３      浴槽
３１    浴槽フランジ
４      カウンタ
４１    カウンタ天板
４２    被上取着部
５      被下取着部
５１    係止孔
５１１  弾性材
５２    カウンタキャリア
６      固着具
【図１】
0005174503.tif 000002
【図２】
0005174503.tif 000003
【図３】
0005174503.tif 000004
【図４】
0005174503.tif 000005